(57)【要約】【課題】本発明は遮水シ−トにタルミをもたらす遮水シ−トの構造を提供するもので、下地材として不織布が存在するところ、遮水シ−トがこの不織布に引っ掛け手段を備えたものであり、遮水シ−トの収縮によって引っ張りがもたらされ、この引っ張り力の程度によってこの引っ掛け手段をもって遮水シ−トのタルミが縮み、かつ遮水シ−トの保持が可能となったものである。【解決手段】廃棄物処理場の窪み表面に下地材として不織布が敷かれ、次いでこの表面に遮水シ−トが敷設された遮水シ−トの構造であって、法肩部位にて遮水シ−トにタルミ部を設け、タルミ部の基端部で少なくとも廃棄物処理場側に、前記不織布に対する面ファスナ−にて代表される引っ掛け手段を備えたことを特徴とする遮水シ−トの構造。１０‥廃棄物処理場、１２‥天端部、１３‥下地材（不織布）、１４‥遮水シ−ト、２０ａ、２０ｂ‥引っ掛け手段、Ａ‥タルミ部。【選択図】図４
2007160261.tif 000002
【特許請求の範囲】
【請求項１】
廃棄物処理場の窪み表面に下地材として不織布が敷かれ、次いでこの表面に遮水シ−トが敷設された遮水シ−トの構造であって、遮水シ−トにタルミ部を設け、タルミ部の基端部で少なくとも廃棄物処理場側に前記不織布に対する引っ掛け手段を備えたことを特徴とする遮水シ−トの構造。
【請求項２】
前記引っ掛け手段が、不織布に対して面ファスナ−である請求項１記載の遮水シ−トの構造。
【請求項３】
前記タルミ部が法肩部に備えられた請求項１又は２記載の遮水シ−トの構造。
【請求項４】
前記法肩部が天端部である請求項３記載の遮水シ−トの構造。
【請求項５】
前記タルミ部が法肩部長手方向に備えられた請求項１乃至４いずれか１記載の遮水シ−トの構造。
【発明の詳細な説明】
【技術分野】
【０００１】
本発明は、主として廃棄物処理場に敷設する遮水シ−トの構造に関するものである。
【背景技術】
【０００２】
廃棄物処理場、貯水池等の凹所では、浸出水の地下への浸透、拡散を防止するため、合成ゴムや高密度ポリエチレン等の合成樹脂から製造された遮水シ−トが用いられている。法面に設置された遮水シ−トは、その滑落防止のために端部が法面に形成された窪みに敷き込まれ、コンクリ−ト製固定ブロック等によって上方から押えた後、窪みを埋め戻して固定されている。
【０００３】
しかるに、遮水シ−トは外気温度（数十度以上の変化）により遮水シ−トの温度が変化し、遮水シ−ト自体に伸縮が発生してしまう。又、伸びた状態で遮水シ−トを固定すると、遮水シ−トの敷設温度が下がった際に突っ張り状態となる。従って、特にこれを緩和するためにタルミを設けるものである。
【０００４】
そして、遮水シ−トの底面は原則としてタルミは取らず、遮水シ−トの法肩（以下、天端にて代表する）にタルミを取り、遮水シ−トの法面の法尻部で長手方向のタルミを取り、遮水シ−トの入隅コ−ナ−部では幅方向のタルミを取る等の手段が取られている。尚、タルミの量はシ−ト長さ１ｍに対し１．８〜２．５ｃｍとするものである。
【０００５】
遮水シ−トの天端にタルミ部位ａを取る場合について言えば、遮水シ−トの収縮による引っ張り力に対して、遮水シ−トが引っ張られた場合、これを緩和するために図１に示すように天端部位の遮水シ−ト１の下側にクッション材２を挿入しておき、引っ張りに応じてクッション材２が潰れることを狙ったものであり、図２にあっては、遮水シ−ト１をバンド３にて固定し、一定以上の引っ張り力でバンドが外れることを狙ったものである。尚、図３は遮水シ−ト１の法面の法尻部でタルミ部位ａを形成したものであるが、このタルミ部位ａが例えばゴミ中に埋まってしまうと、タルミ部位ａを形成した効果がなくなってしまうという欠点があった。尚、図にあって、天端に溝４を形成し、この内部に遮水シ−トを敷き込み、この溝４内にコンクリ−トブロック５を嵌め込んで遮水シ−ト１を固定する手段が取られている。
【発明の開示】
【発明が解決しようとする課題】
【０００６】
本発明は遮水シ−トにタルミをもたらす遮水シ−トの構造を提供するものであり、その引っ張り力に応じて遮水シ−トが繰り出されることを目的としたものである。
【課題を解決するための手段】
【０００７】
本発明の要旨は、廃棄物処理場の窪み表面に下地材として不織布が敷かれ、次いでこの表面に遮水シ−トが敷設された遮水シ−トの構造であって、遮水シ−トにタルミ部を設け、タルミ部の基端部で少なくとも廃棄物処理場側に前記不織布に対する引っ掛け手段を備えたことを特徴とする遮水シ−トの構造にかかるものである。
【発明の効果】
【０００８】
本発明は、下地材として不織布が存在するところ、遮水シ−トがこの不織布に引っ掛け手段を備えたものであり、遮水シ−トの収縮によって引っ張りがもたらされ、この引っ張り力の程度によってこの引っ掛け手段をもって遮水シ−トのタルミが縮み、かつ遮水シ−トの保持が可能となったものである。
【発明を実施するための最良の形態】
【０００９】
先ず、遮水シ−トの基本である材料について言えば、無機、有機材料を問わず全ての材料は、固有の熱膨張係数を持っており、温度変化に応じて伸縮する。特に、有機材料である土木用の遮水シートは大きな熱膨張係数を持っている。このため、例えば夏場に施工した遮水シートが冬場になるとかなり引っ張られた状態が散見される。
【００１０】
このように、有機材料である遮水シートは、元来十分な伸びを有しており、引っ張りが直ちにシ−トの損傷とはならないが、緊張状態のシ−トと緊張のないシートとでは、外力が作用した場合の損傷の受け易さに大きな違いがある。従って、遮水シ−トにとっても長期的な観点からの亀裂劣化の進行を抑える意味において、タルミのある状態の方が優位である。
【００１１】
そして、夏場には遮水シ−トの表面温度が約７０〜８０℃まで上昇する。このような状況下で施工された遮水シートは、朝方に気温が下がると若干引っ張られた状態となり、更に冬場になると気温の下がり、より大きく引っ張られることとなる。実際の現場では、遮水シートの温度状態はまちまちであり、若干大きめの温度差を考慮する必要があり、遮水シ−トにタルミ部を備えておくことが行われている。
【００１２】
本発明は、この遮水シートのタルミを構成するためのよりよい構造を提供するものであり、下地として用いられる不織布に対して一定の抵抗力を備えた引っ掛け手段をタルミ部の基端部に備えたことを特徴とするものである。
【００１３】
かかる引っ掛け手段は、最も好ましくはいわゆるマジックテ−プ（登録商標）といわれる面ファスナ−であり、これをタルミ部の基端部に装着したものである。これによって、引っ張り力に対して面ファスナ−と不織布との間の抵抗力を有効に利用したものであり、例えば、引っ張り力のために遮水シ−トがずらされた際にもその状態が維持されることとなる。尚、面ファスナ−のフックの数や形状を調整すべきであり、遮水シ−トの自重に対しては保持できるが、遮水シ−トの収縮力や廃棄物の引き込み荷重には剥れるように調整する。
【００１４】
かかるタルミ部の形成の位置は天端部にて代表される法肩部に備えられるものであり、更に、タルミ部がこの法肩部の長手方向に備えられたものである。
【実施例】
【００１５】
以下、実施例をもって本発明を更に詳細に説明する。図４は本発明の遮水シ−トの構造の全体図を示すものである。さて、廃棄物処理場１０の窪み表面１１及び天端部１２に下地材として不織布１３が敷かれ、次いでこの表面を遮水シ−ト１４にて覆うものであり、天端部１２における遮水シ−ト１４は天端の長手方向に向けてタルミ部Ａを備えたものである。そして、かかるタルミ部Ａの基端部に下地に用いた不織布１３に対して引っ掛け手段２０を備えたものである。尚、２０ａは廃棄物処理場１０側に設けた引っ掛け手段であり、２０ｂは廃棄物処理場１０と反対側に設けた引っ掛け手段である。
【００１６】
図５はその部分拡大図であり、遮水シ−ト１４のタルミ部Ａの基端部に面ファスナ−２１を装着したものである。かかる面ファスナ−２１は下地材としての不織布１３との間で相互に引っ掛かりをもたらすものであり、遮水シ−ト１４の引っ張られる方向に対して耐えられる構造としたものである。この図例は面ファスナ−２１は廃棄物処理場１０側に設けたもの２１ａとその反対側に設けたもの２１ｂとを備えたものであり、面ファスナ−２１ａは必須であり、２１ｂがあれば尚好ましいものである。
【００１７】
これによって、遮水シ−ト１４の引っ張られる方向に力が生じた際には最も好ましい位置でのずれをもたらすと共にこれをその位置で維持可能としたものであり、従来の構造のものとは異なり、遮水シ−ト１４の引っ張り力に確実に対応することができるようになったものである。
【産業上の利用可能性】
【００１８】
遮水シ−トの引っ張り力に対応して遮水シ−トのずれ（移動）を可能としたものであるが、場合によっては、遮水シ−トを固定するコンクリ−トブロックの溝内からの抜け出しを防止することも可能となったものである。
【図面の簡単な説明】
【００１９】
【図１】図１は従来の遮水シ−トの構造を示す第１例である。
【図２】図２は従来の遮水シ−トの構造を示す第２例である。
【図３】図３は従来の遮水シ−トの構造を示す第３例である。
【図４】図４は本発明の遮水シ−トの構造を示す図である。
【図５】図５は図４の遮水シ−トの構造の拡大図である。
【符号の説明】
【００２０】
１０‥廃棄物処理場、
１１‥窪み表面、
１２‥天端部、
１３‥下地材（不織布）、
１４‥遮水シ−ト、
２０、２０ａ、２０ｂ‥引っ掛け手段、
２１、２１ａ、２１ｂ‥面ファスナ−、
Ａ‥タルミ部。
【図１】
2007160261.tif 000003
【図２】
2007160261.tif 000004
【図３】
2007160261.tif 000005
【図４】
2007160261.tif 000006
【図５】
2007160261.tif 000007